(57)【特許請求の範囲】
【請求項１】
遊技盤(5) 裏側に装着された複数の基板(39,40,42,43) と、これら複数の基板(39,40,42,43) を収容する複数の基板ケース(38,41a,41b)と、遊技球(25)を貯留する球タンク(33)と、球タンク(33)から供給される遊技球(25)を遊技機前側の球受け皿(8) に払出す払出し通路とを備えた弾球遊技機において、
遊技盤(5) を前枠(4) に裏側から固定する裏機構板(30)を設け、
前記裏機構板(30)の中央開口部(30a) の外周部に一体的に形成されその外周部から後方へ延びるように周壁状に設けられた導電性保護壁(31)であって、複数の基板(39,40,42,43) に電磁波ノイズが伝搬するのを防止する為に、複数の基板ケース(38,41a,41b)を囲繞すると共に複数の基板ケース(38,41a,41b)よりも後方へ突出する導電性保護壁(31)を設けた、
ことを特徴とする弾球遊技機。
【請求項２】
前記球タンク(33)と払出し通路の少なくとも一方に設けられて遊技球(25)から静電気を除去する為の導電性部材(60)と、導電性部材(60)を接地手段に電気的に接続するグランド線(62)とを設け、
前記裏機構板(30)に、前記のグランド線(62)の一部を配設して覆うトンネル状通路を前記導電性保護壁(31)と一体的に形成したことを特徴とする請求項１に記載の弾球遊技機。
【発明の詳細な説明】
【０００１】
【発明の属する技術分野】
本発明は弾球遊技機に関し、特に遊技球から発生するノイズ、導電性部材により遊技球から除去した静電気を誘導するグランド線から発生する電磁波ノイズが、遊技盤に装着された遊技制御用の複数の基板に影響しないように導電性保護壁を設け、ノイズ対策を一層強化するようにしたものに関する。
【０００２】
【従来の技術】
従来、パチンコ機等の弾球遊技機においては、前枠の裏側に裏機構板が着脱自在に装着され、この裏機構板の上側に球タンクと、これから延びるタンクレールとが設けられ、パチンコホールの島構造体毎に配設された遊技球搬送路から搬送されてくる遊技球が球タンクに供給される。裏機構板の側部に遊技球を払出す払出し装置が設けられ、更に裏機構板の下側には払出し装置に接続された遊技球案内通路が設けられている。それ故、遊技球が入賞手段に入賞したときには払出し装置が駆動され、所定数の遊技球が賞球として払出され、これら払出された遊技球は遊技球案内通路を経由して上皿排出口から球受け皿に払出される。
【０００３】
また、弾球遊技に供されたアウト球や入賞球は、遊技球回収路を経てホール側に回収され、磨き装置で磨かれてから、遊技球搬送路を介して再び球タンクに供給されるようになっている。ところで、遊技球搬送路や球タンク、この球タンクに連結されたタンクレールや遊技球案内通路等の払出し通路は、合成樹脂製の絶縁体であるため、遊技球が磨き装置により磨かれるときに発生した静電気が遊技球に帯電したり、ホール側の遊技球搬送路に沿って搬送される搬送途中で、遊技球が搬送路や遊技球と摩擦接触したり衝突したときに静電気が発生し、遊技球に帯電（所謂、接触帯電）することがある。
【０００４】
更に、遊技球搬送路から球タンク内に落下により供給されるときに、球タンク内の複数の遊技球に衝突するときにも静電気が発生し、この発生した静電気が遊技球に帯電する可能性が高い。このことは、遊技球は金属であるが、合成樹脂からなる絶縁体の払出し通路を、通路や遊技球と衝突しながら移動する際に、遊技球に発生した静電気の幾らかは払出し通路に移って、払出し通路にも静電気が帯電はするものの、球タンクに貯留される遊技球は、静電気を帯びた状態になり易い。
【０００５】
このように、静電気を帯びた遊技球が球タンクから供給されてタンクレールや払出し装置を移動中に、遊技球同志又は球タンクと衝突したり離れるときに、遊技球自体がアンテナとして作用して、他の遊技球や空中に点集中放電が発生する。その結果、磁界発生による電磁波的なノイズが生じ、遊技制御を司る種々の制御部の制御信号等に悪影響を及ぼし、これら制御部においては動作停止したり、誤動作する場合がある。そこで、従来においては、球タンク、タンクレール等の遊技球が移動中に衝突して静電気が発生し易い払出し通路の一部に、遊技球に接触可能なように金属板を設け、内枠を外枠に回動自在に連結するヒンジ金具とその金属板とをグランド線で接続し、遊技球に帯電した静電気をヒンジ金具に接地するようにしている。
【０００６】
【発明が解決しようとする課題】
前述したように、遊技球が移動中に接触し易い払出し通路の一部に金属板を設け、遊技球に帯電した静電気を、これら金属板やグランド線を介して内枠のヒンジ金具に接地して逃がすようにしているが、そのヒンジ金具は小型であり且つ本格的な接地板でないため、充分な接地効果が得られていないのが現状である。その為に、静電気が帯電した状態で移動する遊技球の静電放電により生じる電磁波ノイズにより、遊技制御を司る種々の制御用基板等に悪影響を及ぼすようになり、遊技制御に支障を来すという問題が起こっている。
【０００７】
そこで、グランド線の他端部を、ヒンジ金具に代えて接地回路に接続することも可能であるが、グランド線は導線をビニールで被覆しただけの通常の接続コードを用いるのが一般的であり、この場合、グランド線から被覆を通して空中に静電放電が発生し、遊技球と同様に電磁波ノイズが生じるという問題がある。更に、球タンクの内部や絶縁体の通路に帯電した静電気によるノイズにより、同様に遊技制御に悪影響を及ぼしている。
【０００８】
本発明の目的は、遊技球から発生するノイズや遊技球から除去した静電気を誘導するグランド線から発生する電磁波ノイズによる遊技制御用の複数の基板に対する悪影響を防止できるようにすること、ノイズ対策を一層強化できるようにすること、等である。
【０００９】
【課題を解決するための手段】
請求項１の弾球遊技機は、遊技盤裏側に装着された複数の基板と、これら複数の基板を収容する複数の基板ケースと、遊技球を貯留する球タンクと、球タンクから供給される遊技球を遊技機前側の球受け皿に払出す払出し通路とを備えた弾球遊技機において、遊技盤を前枠に裏側から固定する裏機構板を設け、前記裏機構板の中央開口部の外周部に一体的に形成されその外周部から後方へ延びるように周壁状に設けられた導電性保護壁であって、複数の基板に電磁波ノイズが伝搬するのを防止する為に、複数の基板ケースを囲繞すると共に複数の基板ケースよりも後方へ突出する導電性保護壁を設けたものである。
【００１０】
遊技球は金属であるが、球タンクや払出し通路は合成樹脂等の絶縁性部材であるため、遊技球が球タンクに供給されたり、球タンクに貯留された遊技球が払出し通路を経て球受け皿に払出されるときに、遊技球が球タンクや払出し通路と衝突して静電気が発生し、その静電気が遊技球に帯電する場合がある。この帯電状態の遊技球が、遊技球同志又は払出し通路と衝突したり離れるときに、他の遊技球と点集中放電したり、空中に静電放電が発生する。しかし、遊技盤を前枠に裏側から固定する裏機構板の中央開口部の外周部に一体的に形成されその外周部から後方へ延びるように周壁状に設けられた導電性保護壁であって、複数の基板に電磁波ノイズが伝搬するのを防止する為に、複数の基板ケースを囲繞すると共に複数の基板ケースよりも後方へ突出する導電性保護壁が設けられているため、遊技球の点集中放電や空中への静電放電による電磁波ノイズが制御用の複数の基板に影響しないように、導電性保護壁により保護（シールド）することができ、複数の基板に対するノイズ対策を一層強化することができる。
しかも、導電性保護壁を、裏機構板の中央開口部の外周部に一体的に形成しその外周部から後方へ延びるように周壁状に設けたため、導電性保護壁を設ける為の余分なスペースを必要とせず、裏機構板を取り付けるだけで、導電性保護壁を同時に設けることができ、導電性保護壁の組み付け作業を簡単化することができる。
【００１１】
ここで、請求項２の弾球遊技機は、請求項１の発明において、前記球タンクと払出し通路の少なくとも一方に設けられて遊技球から静電気を除去する為の導電性部材と、導電性部材を接地手段に電気的に接続するグランド線とを設け、前記裏機構板に、前記のグランド線の一部を配設して覆うトンネル状通路を前記導電性保護壁と一体的に形成したものである。前記トンネル状通路内にグランド線の一部を配設できるから、グランド線の一部から出る電磁波ノイズを遮蔽する上で有利である。
【００１７】
【発明の実施の形態】
以下、本発明の実施の形態について図面に基いて説明する。
本実施形態は、パチンコホールの島構造体に設置される所謂カード式弾球遊技機と呼ばれる第１種パチンコ機に本発明を適用した場合の一例であり、パチンコホールに設けられた島構造体には、その長さ方向に複数のカード式球貸し機１と複数のパチンコ機２とが交互に配設され、カード式球貸し機１はパチンコ機２に電気的に接続されている。
【００１８】
図１〜図４に示すように、カード式弾球遊技機であるパチンコ機２は、矩形枠状の外枠３と、この外枠３に開閉自在に枢着された前枠（内枠に相当する）４とを有し、カード式球貸し機１をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と球受け皿８（上皿）の前面板（図示略）とが夫々開閉自在に枢着されている。前枠４の下部には、球受け皿８から溢流し又は抜き取った遊技球２５を貯留する下皿９と、発射手段１０の発射ハンドル１１とが設けられている。
【００１９】
発射手段１０は、回動操作可能な発射ハンドル１１と、この発射ハンドル１１の回動角度に応じた打撃力で打撃槌１２により遊技球２５を発射させる発射モータ１３などを備えている。球受け皿８の右部には、カード式球貸し機１に対する球貸し操作用の操作パネル１４が設けられ、この操作パネル１４には、カード残額を３桁の数字で表示するカード残額表示部１４ａと、所定金額分の遊技球２５の球貸しを指示する球貸しスイッチ１４ｂと、遊技終了時にカードの返却を指令する返却スイッチ１４ｃとが設けられている。
【００２０】
図２に示すように、遊技盤５には、金属製の外レールと内レールとからなるガイドレール１５がほぼ環状に設けられ、このガイドレール１５の内側の遊技領域５ａには、カラーの液晶ディスプレイ１６、図柄始動手段（図柄始動兼入賞手段）１７、開閉式入賞手段（大入賞手段）１８、複数の普通入賞手段１９（この場合、上段の普通入賞手段１９以外に、開閉式入賞手段１８の左右両側部に、例えば６つの普通入賞手段１９）、２つのゲート２０（通過口）等が夫々所定の位置に配設されている。
【００２１】
液晶ディスプレイ１６は、変動図柄を表示するとともに背景画像や各種のキャラクタの動画などを表示する図柄表示手段２２として機能する。図柄表示手段２２は、背景画やキャラクタをアニメーション的に表示するとともに、例えば左右方向に並ぶ３個（左、中、右）の図柄表示部２２ａ〜２２ｃを有し、図柄始動手段１７に遊技球２５が入賞することを条件に、各図柄表示部２２ａ〜２２ｃの表示図柄が所定時間だけ変動表示（スクロール表示）され、図柄始動手段１７への遊技球２５の入賞タイミングに応じた抽選結果に基づいて決定される停止図柄パターンで停止する。
【００２２】
液晶ディスプレイ１６の直ぐ上側に、普通入賞手段１９と第２図柄表示手段２３とが設けられている。第２図柄表示手段２３は１個の普通図柄を表示する普通図柄表示部を有し、ゲート２０を通過した遊技球２５が検出されたとき、普通図柄表示部の表示図柄が所定時間だけ変動し、遊技球２５のゲート２０通過時点において抽選された抽選用数値により決定される停止図柄を表示して停止する。図柄始動手段１７は、開閉自在な左右１対の開閉爪１７ａを備えた電動式チューリップであり、第２図柄表示手段２３の変動後の停止図柄が当たり図柄を表示した場合に、開閉爪１７ａが所定時間だけ開放されて入賞し易くなる。
【００２３】
開閉式入賞手段１８は前方に開放可能な開閉板１８ａを備え、図柄表示手段２２の変動後の停止図柄が「７７７」等の当たり図柄のとき、所謂「大当たり」と称する特別遊技が開始され、開閉板１８ａが前方に開放される。この開閉式入賞手段１８の内部に特定領域１８ｂがあり、この特定領域１８ｂを入賞球が通過したとき、特別遊技が継続される。
【００２４】
開閉式入賞手段１８の開閉板１８ａが開放された後、所定時間が経過し、又は所定数（例えば、１０個）の遊技球２５が入賞して開閉板１８ａが閉じるときに、遊技球２５が特定領域１８ｂを通過していないときに特別遊技が終了するが、特定領域１８ｂを通過していれば最大所定回数（例えば、１６回）まで特別遊技が継続され、遊技者に有利な状態に制御される。
【００２５】
図３、図４に示すように、前枠４の裏側には、遊技盤５を裏側から押さえる裏機構板３０が着脱自在に装着され、この裏機構板３０には大型の開口部３０ａが中央部に形成され、その上側に球タンク３３と、これから延びるタンクレール３４とが設けられ、このタンクレール３４の左端部（下流端部）に接続された払出し装置３５が裏機構板３０の左側部に設けられ、裏機構板３０の下側には払出し装置３５に接続された遊技球案内通路３６が設けられている。払出し装置３５から払出された遊技球２５は、開口部３０ａの下側の遊技球案内通路３６を経由して球受け皿８に払出される。
【００２６】
ここで、球タンク３３から払出し装置３５に遊技球２５を誘導するタンクレール３４と、払出し装置３５内のジグザグ状球通路５０ｂと、払出し装置３５から払出された遊技球２５を球受け皿８に案内する遊技球案内通路３６と、球受け皿８から遊技球２５が溢れるときに遊技球案内通路３６から受け皿である下皿９に遊技球２５を溢流させる溢流案内通路（図示略）等から、払出し通路が構成されている。
【００２７】
次に、払出し装置３５について、図５に基づいて簡単に説明する。この場合、球タンク３３に貯留されている遊技球２５は、タンクレール３４を介して２条の通路で払出し装置３５に供給されるため、払出し装置３５による２条の通路により遊技球２５を迅速に払出せるように構成されている。この払出し装置３５は、合成樹脂製のケース５０によりユニット化されたものである。但し、このケース５０は左右２つのケース（右側ケース５０ａだけを図示し、左側ケースの図示を省略する）からなっている。
【００２８】
右側ケース５０ａの内部には、正面視にてジグザグ状の一条の通路５０ｂが形成されており、左側ケースの内部にも同様のジグザグ状の一条の通路（図示略）が形成されている。これら二条の通路５０ｂの下端部には、２条分に対応する遊技球２５を回転により順々に払出す払出し回転体５１がケース５０に回転可能に枢支され、払出しモータ５４（図８参照）により回転駆動される。ケース５０の下端部の払出し口近傍部には、２条の通路５０ｂを一体化した１つの払出し球通路５０ｃが形成されている。
【００２９】
そして、払出しモータ５４が駆動されたときには、払出し回転体５１が回転し、払出し回転体５１よりも上流側のジグザグ状球通路５０ｂの遊技球２５が払出され、賞球側に切換えられた払出し切換え羽根５２により賞球検出センサ５３を挿通して、払出し球通路５０ｃを経て遊技球案内通路３６に払出される。
ところで、裏機構板３０の中央開口部３０ａの外周部には、図６〜図９に示すように、所定高さを有する保護壁部３０ｂが略矩形枠状に一体的に形成されている。この保護壁部３０ｂの外周面と内周面とには、導電性のスプレー等を噴射させて導電性被膜３２が薄膜状に夫々形成されている。
【００３０】
これら両面に形成された導電性被膜３２により、保護壁部３０ｂは導電性保護壁３１として構成されている。それ故、その導電性保護壁３１により、後述する複数の制御用基板３９，４０，４２，４３，４６にノイズが影響しないように保護（シールド）できるようになっている。裏機構板３０の開口部３０ａには、遊技盤５の裏側に装着された裏カバー３７と、入賞手段１７〜１９に入賞した遊技球２５を排出する入賞球排出樋（図示略）とが夫々嵌合されている。この裏カバー３７に装着された基板ケース３８の内部に主制御基板３９が配設され、その前側に図柄制御基板４０が配設されている。
【００３１】
主制御基板３９の下側で、裏カバー３７に装着された基板ケース４１ａの内部にランプ制御基板４２が設けられ、この基板ケース４１ａに隣接する基板ケース４１ｂの内部にサウンド制御基板４３が設けられている。即ち、導電性保護壁３１は、遊技盤５に装着された主制御基板３９と、図柄制御基板４０と、ランプ制御基板４２と、サウンド制御基板４３の外側を囲むように、基板ケース３８，４１ａ，４１ｂとは別体に配設されている。これら基板ケース４１ａ，４１ｂの下側で裏機構板３０に装着された基板ケース４４の内部には、電源基板４５と払出し制御基板４６が夫々設けられている。
【００３２】
更に、発射手段１０の後側に装着された基板ケース４７の内部には、発射制御基板４８が設けられている。これら制御基板３９〜４０，４２〜４３，４５〜４６，４８は夫々独立のプリント基板で構成されており、電源基板４５と発射制御基板４８とを除く制御基板３９，４０，４２，４３，４６には、ＣＰＵとＲＯＭやＲＡＭ等を有する１チップ集積回路からなるマイクロコンピュータ（図示略）が夫々設けられている。
【００３３】
主制御基板３９とその他の制御基板４０，４２，４３，４６とは、複数本の信号線でコネクタを介して電気的に接続され、主制御基板３９から各制御基板４０，４２，４３，４６に、所定の遊技動作を実行させる種々の制御コマンドを一方向通信にて送信可能になっている。制御コマンドの一方向通信を採用することで、図柄停止に関する不正を確実に防止できるとともに、主制御手段の制御負荷を格段に軽減でき、送信制御を簡単化することができる。
【００３４】
主制御基板３９上には主制御手段が構成され、遊技盤５に設けられた種々の遊技部品や遊技球検出スイッチ等に対する信号の入出力に関わる、所謂遊技盤５の遊技制御を主として司る。図柄制御基板４０上には図柄制御手段が構成され、主制御手段から送信されてくる図柄制御コマンドに基づいて、液晶ディスプレイ１６に種々の動画や背景画を表示させる表示制御を実行したり、各図柄表示部２２ａ〜２２ｃの図柄を変動制御し、指示された停止図柄で変動を停止制御する。
【００３５】
ランプ制御基板４２上にはランプ制御手段が構成され、遊技盤５等に設けられた多数の表示ランプを含むランプ群の点灯制御を司る。サウンド制御基板４３上にはサウンド制御手段が構成され、スピーカに対する各種の音響効果音の為のサウンド出力制御を司る。発射制御基板４８上には発射制御手段が構成され、発射モータ１３を駆動して遊技球２５の発射制御を司る。ここで、前述した導電性保護壁３１は、図４に示すように、最も後方に張り出した基板ケース３８，４１ａ，４１ｂよりも、更に後方に大きく張り出すような高さになっている。
【００３６】
ここで、遊技盤５の裏側から視て導電性保護壁３１の左側の左側壁部３１ａは、後述するグランド線６２と複数の基板ケース３８，４１ａ，４１ｂとの間に設けられ、特に左側壁部３１ａよりも左側のグランド線６２からのノイズをシールドするようになっており、導電性保護壁３１の上側の上側壁部３１ｂは、球タンク３３及びタンクレール３４と複数の基板ケース３８，４１ａ，４１ｂとの間に設けられ、特に上側壁部３１ｂよりも上側の球タンク３３やタンクレール３４からのノイズをシールドするようになっている。
【００３７】
導電性保護壁３１の右側の右側壁部３１ｃは、払出し装置３５及び遊技球案内通路３６と複数の基板ケース３８，４１ａ，４１ｂとの間に設けられ、特に右側壁部３１ｃよりも右側の払出し装置３５や遊技球案内通路３６からのノイズをシールドするようになっており、導電性保護壁３１の下側の下側壁部３１ｄは、遊技球案内通路３６と複数の基板ケース３８，４１ａ，４１ｂとの間に設けられ、特に下側壁部３１ｄよりも下側の遊技球案内通路３６からのノイズをシールドするようになっている。
【００３８】
次に、球タンク３３に設けられた導電性部材６０について説明する。
図１０〜図１２に示すように、球タンク３３は上方を開放した合成樹脂製の箱体であり、その底壁３３ａは右端側程低くなるように傾斜している。底壁３３ａの最も低くなった右端部には、貯留した遊技球２５をその下側のタンクレール３４に落下により供給する平面視略矩形状の排出口３３ｂが形成されている。この球タンク３３の右側壁３３ｃには、球タンク３３に貯留した遊技球２５に帯電した静電気を積極的に放電させて除去するための銅板等の金属からなる導電性部材６０が固定されている。
【００３９】
この導電性部材６０は、右側壁３３ｃを跨ぐように上方から嵌合して取付けるために、相互に対向状の外側固定板６０ａと内側固定板６０ｂとを上端部で連結し、内側固定板６０ｂの下端部の後端から左方に縦向き姿勢で延びる正面視矩形状の延設部６０ｃと、外側固定板６０ａに屈曲状に一体形成された固定部６０ｄとから構成されている。ここで、導電性部材６０のうちの、遊技球２５に帯電した静電気の除去に直接に寄与する特に内側固定板６０ｂは、球タンク３３の内部に臨むように設けられている。延設部６０ｃは、図６に示すように、排出口３３ｂの後端に位置し且つ排出口３３ｂより下側へ延びるように設けられている。
【００４０】
それ故、排出口３３ｂを介してタンクレール３４に供給される遊技球２５がこの延設部６０ｃに直接に接触可能になっている。そして、導電性部材６０は固定部６０ｄのビス止めにより球タンク３３に固定されている。ところで、グランド線６２は、図３、図７に示すように、裏機構板３０の中央開口部３０ａの右端部に形成された上下方向向きのトンネル状通路３０ｃ内に配線され、グランド線６２の上端部はラグ板６１を介して固定部６０ｄの下端部に接続され、グランド線６２の下端部は後述する電源基板４５のノイズ吸収回路７７に接続されている。即ち、グランド線６２は、主制御基板３９や図柄制御基板４０等の複数の制御基板を避けた裏機構板３０の右端部に配設されている。
【００４１】
次に、前述した電源基板４５について、図１３に基づいて説明する。
コネクタ７０を介して外部から供給されるＡＣ２４Ｖの入力ライン７１ａ，７１ｂには、ＤＣ２４Ｖを生成する２４Ｖ生成回路７２と、ＤＣ５Ｖを生成する５Ｖ生成回路７３と、ＤＣ１２Ｖを生成する１２Ｖ生成回路７４とが夫々接続されている。これら生成回路７２〜７４で生成された直流は、制御基板３９，４０，４２，４３，４６等に供給されている。入力ライン７１ａにはヒューズ７５が設けられている。両入力ライン７１ａ，７１ｂ間には、４７Ｖ以上の高圧の交流を外部のＡＣ２４Ｖ電源に戻すバリスタ７６が設けられている。
【００４２】
電源基板４５には、コネクタ８１に接近させてノイズ吸収回路７７が設けられている。サージ吸収素子７８の入力部には、コネクタ８１を介してグランド線６２の他端部が接続され、ノイズ吸収回路７７の出力部は２４Ｖ生成回路７２の前段部における入力ライン７１ａ，７１ｂに接続されている。このノイズ吸収回路７７について説明すると、サージ吸収素子７８とバリスタ７９とを直列接続して入力ライン７１ａに接続するとともに、サージ吸収素子７８とバリスタ８０とを直列接続して入力ライン７１ｂに接続している。
【００４３】
そして、そのサージ吸収素子７８の入力部には、コネクタ８１を介してグランド線６２の他端部が接続されている。サージ吸収素子７８は、微小の間隙を隔てて１対の電極を対向状に設け、所定電圧（例えば、２００Ｖ）までのサージ成分（急激に大きさが変化するノイズのような電圧や電流）を即時に吸収する素子である。また、サージ吸収素子７８で吸収できないノイズは、バリスタ７９，８０により鈍らせて確実に吸収するようになっている。ここで、詳しく図示していないが、ノイズ吸収回路８７の出力側において、接地手段が設けられている。
【００４４】
次に、遊技球２５から発生するノイズや遊技球２５から除去した静電気を誘導するグランド線６２から発生する電磁波ノイズによる複数の制御用の基板３９，４０，４２，４３，４６に対する悪影響を防止する作用について説明する。
ホール側の磨き装置（図示略）で磨かれた遊技球２５は絶縁体である遊技球搬送路（図示略）を経て球タンク３３に落下により供給されるため、球タンク３３に貯留される複数の遊技球２５の各々には、磨き装置により布等を用いて磨かれたときに発生した静電気、遊技球搬送路で搬送される搬送途中で遊技球２５同志の衝突や摩擦により発生した静電気が帯電している。
【００４５】
更に、遊技球２５には、球タンク３３に落下により供給されたときに、球タンク３３内の複数の遊技球２５に衝突して発生した静電気が帯電（所謂、接触帯電）している可能性が高い。この場合、遊技球２５は金属であるが、合成樹脂からなる絶縁体である遊技球搬送路を、遊技球搬送路や遊技球２５同志で衝突したり摩擦しながら移動する際に、遊技球２５に帯電した静電気の幾らかは遊技球搬送路に移って、遊技球搬送路にも静電気が帯電はするものの、球タンク３３に供給されて貯留される遊技球２５には静電気が帯電している可能性がある。
【００４６】
しかも、球タンク３３の遊技球２５が狭い誘導口３３ｂを経てタンクレール３４に供給される際に、遊技球２５同志が摩擦したり衝突し、これによっても遊技球２５には静電気が発生し、この発生した静電気が遊技球２５に多量に帯電している場合が多い。ところで、このように遊技球２５が静電気を多量に帯電した状態で、遊技球２５や球タンク３３と衝突したり離れながら誘導口３３ｂの方へ移動するときに、接近した他の遊技球２５と点集中放電したり、空中に静電放電が発生する。その結果、磁界発生による電磁波ノイズが発生するようになる。
【００４７】
ところで、このように静電気が遊技球２５や球タンク３３に帯電している場合でも、遊技球２５が排出口３３ｂを介してタンクレール３４に供給されるときに、内側固定板６０ｂや延設部６０ｃに直接に接触したり、又は遊技球２５を介して間接に接触する。その結果、遊技球２５に帯電する静電気や球タンク３３の内面に帯電する静電気が導電性部材６０で積極的に除去され、グランド線６２を介してノイズ吸収回路７７に確実に供給される。
【００４８】
このノイズ吸収回路７７において、導電性部材６０で除去した静電気によるノイズが例えば図１４（ａ）に示すように、高圧のサージ電圧を有するとき（入力側ノイズ波形参照）でも、図１４（ｂ）の出力側ノイズ波形に示すように、例えば２００Ｖまでのサージ成分が即時に吸収されている。その後、サージ吸収素子７８で吸収できない微弱なノイズは、バリスタ７９，８０により鈍らせて確実に吸収される。そして、最終的には、これらサージ吸収素子７８とバリスタ７９，８０の協働によりノイズが吸収された無害の静電気を直流生成回路７２〜７４に供給して、再利用することができる。
【００４９】
ところで、導電性部材６０で除去した静電気をグランド線６２によりノイズ吸収回路７７に誘導する際に、グランド線６２から空中に静電放電が発生し、その静電放電により電磁波ノイズが放射されるような場合でも、最も後方に張り出した基板ケース３８，４１ａ，４１ｂよりも、更に後方に大きく張り出すような高さを有する導電性保護壁３１が、裏機構板３０の中央開口部３０ａの外周部に設けられているため、グランド線６２から遊技制御基板３９，４０，４２，４３側へ放射される電磁波ノイズを、導電性保護壁３１の特に左側壁部３１ａにより確実に遮断することができる。
【００５０】
一方、球タンク３３からタンクレール３４に供給され、そのタンクレール３４を移動する遊技球２５からノイズが発生するような場合には、そのノイズを、導電性保護壁３１の特に上側壁部３１ｂにより確実に遮断することができる。また、タンクレール３４から払出し装置３５の球通路５０ｂ、遊技球案内通路３６等の払出し通路を順々に払出されるときに、遊技球２５が遊技同志で衝突したり、払出し通路に衝突するなどして遊技球２５に静電気が帯電し、遊技球２５からノイズが発生するような場合には、そのノイズを、導電性保護壁３１の特に右側壁部３１ｃ及び下側壁部３１ｄにより確実に遮断することができる。
【００５１】
このように、導電性部材６０を球タンク３３の内部に臨むように設け、静電気によるノイズを吸収するノイズ吸収回路７７を電源基板４５に設け、導電性部材６０とノイズ吸収回路７７とをグランド線６２で接続したので、球タンク３３内の遊技球２５に静電気が多量に帯電した場合でも、遊技球２５が排出口３３ｂを通過する際に、内側固定板６０ｂや延設部６０ｃに直接に又は間接に接触し、遊技球２５や球タンク３３に帯電する静電気は導電性部材６０で積極的に除去され、グランド線６２を介してノイズ吸収回路７７に誘導され、このノイズ吸収回路７７で静電気によるノイズを確実に吸収できる。
【００５２】
また、裏機構板３０の中央開口部３０ａの外周部に、遊技盤５に装着された主制御基板３９と、図柄制御基板４０と、ランプ制御基板４２と、サウンド制御基板４３の外側を囲むように、所定高さを有する導電性保護壁３１を配設したため、グランド線６２からの空中への静電放電により電磁波ノイズが放射される場合でも、遊技制御基板３９，４０，４２，４３側へ放射される電磁波ノイズを、導電性保護壁３１の特に左側壁部３１ａにより確実に遮断することができる。
【００５３】
更に、タンクレール３４を移動する遊技球２５から発生するノイズは導電性保護壁３１の特に上側壁部３１ｂにより確実に遮断でき、払出し装置３５や遊技球案内通路３６を移動する遊技球２５から発生するノイズは右側壁部３１ｃ及び下側壁部３１ｄにより確実に遮断でき、遊技盤５側の制御基板３９，４０，４２，４３に対するノイズ対策を強化することができる。
【００５４】
前記実施形態を部分的に変更した変更形態について説明する。
１〕裏機構板３０の保護壁部３０ｂの内面と外面の少なくとも一方に、導電性被膜を形成してからメッキ処理を施して導電性のメッキ層を形成し、このメッキ層により導電性保護壁を構成するようにしてもよい。
【００５５】
２〕裏機構板３０の保護壁部３０ｂの内面と外面の少なくとも一方に、種々の帯電防止材料や導電性ゴムや金属片混入樹脂等からなる薄膜状の導電性シートを貼着し、その導電性シートにより導電性保護壁を構成するようにしてもよい。
３〕導電性部材６０を、球タンク３３以外の、例えば図５に示す払出し装置３５内のジグザグ状球通路５０ｂに設けるようにしてもよく、遊技球案内通路３６や、球受け皿８から遊技球２５が溢れるときに遊技球２５を溢流させる溢流案内通路等、払出し通路の随所に設けるようにしてもよい。
【００５６】
４〕導電性部材６０を、ステンレス等の種々の金属で構成してもよく、非導電性材料にメッキ層を形成したり、導電性シートを貼着したり、導電性スプレー等により導電性被膜を形成するなどして導電性部材６０を構成してもよい。
５〕本発明は、以上説明した実施形態や変更形態に限定されるものではなく、本発明の趣旨を逸脱しない範囲で種々変更を付加し、更に、パチンコ機に限らず、アレンジボール機、雀球機等の種々の弾球遊技機に本発明を適用することが可能である。
【００５７】
【発明の効果】
請求項１の発明によれば、遊技盤裏側に装着された複数の基板と複数の基板ケースと、球タンクと、払出し通路と、遊技盤を前枠に裏側から固定する裏機構板を設け、裏機構板の中央開口部の外周部に一体的に形成されその外周部から後方へ延びるように周壁状に設けられた導電性保護壁であって、複数の基板に電磁波ノイズが伝搬するのを防止する為に、複数の基板ケースを囲繞すると共に複数の基板ケースよりも後方へ突出する導電性保護壁を設けたので、静電気が帯電した遊技球が他の遊技球と点集中放電したり、空中に静電放電し、遊技球からノイズが発生する場合でも、ノイズが複数の基板に影響しないように、導電性保護壁により保護（シールド）することができ、複数の基板に対するノイズ対策を一層強化することができる。
しかも、導電性保護壁を、裏機構板の中央開口部の外周部に一体的に形成しその外周部から後方へ延びるように周壁状に設けたため、導電性保護壁を設ける為の余分なスペースを必要とせず、裏機構板を取り付けるだけで、導電性保護壁を同時に設けることができ、導電性保護壁の組み付け作業を簡単化することができる。
【００５８】
請求項２の発明によれば、前記球タンクと払出し通路の少なくとも一方に設けられて遊技球から静電気を除去する為の導電性部材と、導電性部材を接地手段に電気的に接続するグランド線とを設け、前記裏機構板に、前記のグランド線の一部を配設して覆うトンネル状通路を導電性保護壁と一体的に形成したので、グランド線の一部から出る電磁波ノイズを遮蔽する上で有利である。
【図面の簡単な説明】
【図１】本発明の実施形態に係るパチンコ機（弾球遊技機）の斜視図である。
【図２】パチンコ機の遊技盤の正面図である。
【図３】パチンコ機の背面図である。
【図４】パチンコ機の側面図である。
【図５】払出し装置の要部縦断側面図である。
【図６】裏機構板の背面図である。
【図７】図６のＧ−Ｇ線横断平面図である。
【図８】図６のＨ−Ｈ線縦断側面図である。
【図９】図６のＩ−Ｉ線横断平面図である。
【図１０】球タンクに設けた導電性部材の斜視図である。
【図１１】球タンクの平面図である。
【図１２】球タンクの背面図である。
【図１３】電源基板に設けた内部配線の配線図である。
【図１４】（ａ）はサージ吸収素子の入力側のノイズ波形を示す線図であり、（ｂ）はサージ吸収素子の出力側のノイズ波形を示す線図である。
【符号の説明】
２        パチンコ機（弾球遊技機）
４        前枠
５        遊技盤
８        球受け皿
２５          遊技球
３１      導電性保護壁
３１ａ    左側壁部
３１ｂ    上側壁部
３１ｃ    右側壁部
３１ｄ    下側壁部
３３      球タンク
３４      タンクレール
３５      払出し装置
３６      遊技球案内通路
３８      基板ケース
４１ａ    基板ケース
４１ｂ    基板ケース
６０      導電性部材
６２      グランド線
【図１】
0003552661.tif 000002
【図２】
0003552661.tif 000003
【図３】
0003552661.tif 000004
【図４】
0003552661.tif 000005
【図５】
0003552661.tif 000006
【図６】
0003552661.tif 000007
【図７】
0003552661.tif 000008
【図８】
0003552661.tif 000009
【図９】
0003552661.tif 000010
【図１０】
0003552661.tif 000011
【図１１】
0003552661.tif 000012
【図１２】
0003552661.tif 000013
【図１３】
0003552661.tif 000014
【図１４】
0003552661.tif 000015